(57)【要約】【課題】電話ケーブルおよびネットワークケーブルの配線の効率化を図る。【解決手段】ＬＡＮケーブル１０、電話ケーブル１６を通常のコネクタでケーブル接続アダプタ１４に接続し、ここで電話ケーブル１６からの配線をＬＡＮケーブル２０からの配線の空いている配線に接続する。そして、ＬＡＮケーブル２０ではＬＡＮケーブル１０からの信号と電話ケーブル１６からの信号の両方を伝達する。【選択図】        図１
2004178864.tif 000002
【特許請求の範囲】
【請求項１】
電話線を含む電話ケーブルが接続される電話線用コネクタと、
ネットワークケーブルが接続される第１のネットワークケーブル用コネクタと、
前記電話線用コネクタからの配線をネットワークケーブル用コネクタからの配線中の予め定められた配線に接続する接続配線と、
この接続配線によって電話線が接続された配線を含むネットワークケーブル用コネクタからの配線が接続される第２のネットワークケーブル用コネクタと、
を有し、
これらが一体の本体内に収容されているケーブル接続アダプタ。
【請求項２】
請求項１に記載のケーブル接続アダプタにおいて、
前記電話線用コネクタを複数備え、さらに、前記第１のネットワークケーブル用コネクタからの配線と前記複数の電話線用コネクタからの各一つずつの配線のうちいずれか一つとを選択的に接続するよう配線間の接続を切り替えるスイッチを備えるケーブル接続アダプタ。
【請求項３】
請求項２に記載のケーブル接続アダプタにおいて、
前記スイッチの切り替えにより、ネットワークケーブル内の配線に接続される電話線を含む電話ケーブルの数が変更されるケーブル接続アダプタ。
【請求項４】
請求項１〜３のうちいずれか一つに記載のケーブル接続アダプタにおいて、
前記本体は、ほぼ直方体形状であり、その内の１つの面に電話線用コネクタおよび第１のネットワークケーブル用コネクタが形成され、これに対向する面に第２のネットワークケーブル用コネクタが形成されているケーブル接続アダプタ。
【請求項５】
請求項１〜４のうちいずれか一つに記載のケーブル接続アダプタを２つ用意し、それぞれの電話線コネクタおよび第１のネットワークケーブル用コネクタに電話線とネットワークケーブルを接続し、２つのケーブル接続アダプタの第２のネットワークケーブル用コネクタ同士をネットワークケーブルで接続するシステム。
【発明の詳細な説明】
【０００１】
【発明の属する技術分野】
本発明は、電話ケーブルと、ネットワークケーブルが混在する場合におけるこれらケーブルの接続を行うケーブル接続アダプタに関する。
【０００２】
【従来の技術】
従来より、オフィスや、家庭などにおいて、コンピュータと、電話機が混在している。そして、コンピュータ間の接続には、ＬＡＮケーブルなどのネットワークケーブルが利用され、また電話機の接続には電話ケーブルが利用されており、これが必要な箇所において引き回されている。
【０００３】
【発明が解決しようとする課題】
ここで、各種のビルディングは、ケーブル用の配管を、床、壁などに用意しており、この配管内にケーブルを通すことによって、各種の接続を行っている。電話通信は、コンピュータネットワークが普及する前から、広く普及しており、比較的古いビルディングでは、電話ケーブル用の配管のみが付設されている。この電話ケーブル用の配管は比較的細く、ここにネットワークケーブルを挿通すると、電話ケーブルが入らなくなってしまう。そこで、ネットワークケーブルは、別途引き回すことになり、床や壁の表面上にネットワークケーブルを引き回していた。
【０００４】
また、配管を利用しない場合でも、引き回すケーブルの数はできるだけ少ない方がよく、ケーブル数を減少したいという要望は強かった。
【０００５】
なお、ケーブル数を減少するために、無線通信を利用することも可能であり、電話ケーブルや、ネットワークケーブルを無線通信に代える機器も各種知られている。しかし、無線通信は、確実性や安全性が劣り、また機器のコストが高くなってしまうという問題があった。
【０００６】
本発明は、上記課題に鑑みなされたものであり、ケーブルの引き回しを効率的に行うことを可能にするケーブル接続アダプタを提供することを目的とする。
【０００７】
【課題を解決するための手段】
本発明に係るケーブル接続アダプタは、電話線を含む電話ケーブルが接続される電話線用コネクタと、ネットワークケーブルが接続される第１のネットワークケーブル用コネクタと、前記電話線用コネクタからの配線をネットワークケーブル用コネクタからの配線中の予め定められた配線に接続する接続配線と、この接続配線によって電話線が接続された配線を含むネットワークケーブル用コネクタからの配線が接続される第２のネットワークケーブル用コネクタと、を有し、これらが一体の本体内に収容されていることを特徴とする。
【０００８】
このように、本発明に係るケーブル接続アダプタによれば、必要な区間において、電話ケーブルの信号の伝達にネットワークケーブルを利用することができる。従って、電話工事、ＬＡＮ工事を一緒に行うことができ、工事が容易であるとともに、電話ケーブルの削減ができ、低コスト化および美観の向上を図ることができる。特に、限定された配管内にもネットワークケーブルを収容して電話およびネットワークの配線を行うことができる。
【０００９】
また、本発明に係るケーブル接続アダプタでは、前記電話線用コネクタを複数備え、さらに、前記第１のネットワークケーブル用コネクタからの配線と前記複数の電話線用コネクタからの各一つずつの配線のうちいずれか一つとを選択的に接続するよう配線間の接続を切り替えるスイッチを備えるのが好適である。これにより、利用可能な電話ケーブルを変更することができる。
【００１０】
また、本発明に係るケーブル接続アダプタでは、前記スイッチの切り替えにより、ネットワークケーブル内の配線に接続される電話線を含む電話ケーブルの数が変更されるのが好適である。これにより、より多くの電話線を用いる方式（例えば多機能電話等）に対応しつつ、より少ない電話線を用いる方式の場合には使用可能な電話ケーブルの数を増やすという、使用状況に応じた効率的な利用が実現される。
【００１１】
また、本発明に係るケーブル接続アダプタでは、前記本体は、ほぼ直方体形状であり、その内の１つの面に電話線用コネクタおよび第１のネットワークケーブル用コネクタが形成され、これに対向する面に第２のネットワークケーブル用コネクタが形成されていることが好適である。これによって、ケーブルの接続は単にケーブルを差し込むだけでよく、作業が非常に容易である。
【００１２】
また、上述のようなケーブル接続アダプタを２つ用意し、それぞれの電話線コネクタおよび第１のネットワークケーブル用コネクタに電話線とネットワークケーブルを接続し、２つのケーブル接続アダプタの第２のネットワークケーブル用コネクタ同士をネットワークケーブルで接続することが好適である。
【００１３】
【発明の実施の形態】
まず、本発明の第１の実施形態について、図面に基づいて説明する。
【００１４】
図１は、本発明の第一の実施形態に係るケーブル接続アダプタを利用したシステムの構成を示す図である。
【００１５】
ホストコンピュータや、クライアントコンピュータ、ルータ、ハブなどの機器に接続されるＬＡＮケーブル（ネットワークケーブル）１０は、ＬＡＮ用のソケットプラグ（ＲＪ−４５）１２を介し、ケーブル接続アダプタ本体１４に接続される。
【００１６】
また、電話機や、ターミナルアダプタ、電話交換器、外部の電話回線などと接続される電話ケーブル１６は、電話用のソケットプラグ（ＲＪ−１１）１８を介し、ケーブル接続アダプタ本体１４に接続される。
【００１７】
そして、ケーブル接続アダプタ本体１４の反対側には、ＬＡＮケーブル２０がＬＡＮ用のソケットプラグ（ＲＪ−４５）２２を介して接続される。
【００１８】
そして、このＬＡＮケーブル２０の他端は、ソケットプラグ（ＲＪ−４５）２４を介し、ケーブル接続アダプタ本体２６に接続され、このケーブル接続アダプタ２６の反対側には、ソケットプラグ（ＲＪ−４５）２８を介し、ＬＡＮケーブル３０が接続されると共に、ソケットプラグ（ＲＪ−１１）３２を介し、電話ケーブル３４が接続されている。
【００１９】
図２は、ケーブル接続アダプタ本体１４、２６の内部も示した構成図である。ＬＡＮケーブル１０の端部には、プラグ（モジュラージャック）１２ｂが接続されており、このプラグ１２ｂがケーブル接続アダプタ１４側のソケット１２ａに接続される。これによって、ＬＡＮケーブル１０内の８本のラインがそれぞれソケット１２ａの８つの端子に接続される。そして、ケーブル接続アダプタ１４内においては、このソケット１２ａの８つの端子の内、１、２、３、６をソケット２２ａの同じ位置の端子に接続する。なお、ソケット１２ａ、２２ａにおける端子は、図における上から１〜８の番号が振られており、１：＋ＴＤ（送信＋）、２：−ＴＤ（送信−）、３：＋ＲＤ（受信＋）、６：−ＲＤ（受信−）となっている。
【００２０】
また、電話ケーブル１６の端部には、プラグ１８ｂが接続されており、このプラグ１８ｂがソケット１８ａに接続される。これによって、電話ケーブル１６内の４本のラインがソケット１８ａの４つの端子に接続される。そして、このソケット１８ａの４つの端子は、ソケット２２ａの端子４、５、７、８にそれぞれ接続される。ここで、ソケット１８ａの端子は、図における上から３、１、２、４の番号が振られており、それぞれ３：ＲＥＳＥＲＶＥ２、１：ＲＩＮＧ、２：ＴＩＰ、４：ＲＥＳＥＲＶＥ１になっている。そして、３：ＲＥＳＥＲＶＥ２をソケット２２ａの７、１：ＲＩＮＧをソケット２２ａの４、２：ＴＩＰをソケット２２ａの５、３：ＲＥＳＥＲＶＥ１をソケット２２ａの８に接続している。
【００２１】
このようにして、ソケット２２ａにおいては、ＬＡＮケーブル１０において使用していない４つの端子４、５、７、８に電話ケーブルからの４つのラインを重畳する。このため、このソケット２２ａにプラグ２２ｂを介し接続されるＬＡＮケーブル２０においては、ＬＡＮケーブル１０からの信号と、電話ケーブル１６からの信号の両方が伝送されることになる。
【００２２】
ＬＡＮケーブル２０は、ケーブル接続アダプタ本体２６に接続される。ケーブル接続アダプタ本体２６は、ケーブル接続アダプタ１４と全く同一の構成を有している。そこで、ＬＡＮケーブル２０は、プラグ２４ｂ、ソケット２４ａ、ケーブル接続アダプタ本体２６内配線、ソケット２８ａ、プラグ２８ｂを介し、ＬＡＮケーブル３０に接続される。ここで、ソケット２４ａの端子１、２、３、６のみがソケット２８ａの端子１、２、３、６に接続され、これらがプラグ２８ｂを介しＬＡＮケーブル３０に接続される。一方、ソケット２４ａの端子４、５、７、８はソケット３２ａの端子１、２、３、４に接続され、これらがプラグ３２ｂを介し電話ケーブル３４に接続される。
【００２３】
このようにして、ＬＡＮケーブル１０および電話ケーブル１６と、ＬＡＮケーブル３０および電話ケーブル３４をそれぞれ接続する際に、ＬＡＮケーブル２０によってケーブル接続アダプタ１４、２６間の接続が行える。そこで、電話ケーブル用の配管（例えば、直径１６ｍｍφ）にも、ＬＡＮケーブル２０を挿通することができ、これによってネットワーク配線と電話配線の両方を行うことができる。
【００２４】
また、ケーブル接続アダプタは、ケーブル接続アダプタ本体１４（２６）内にソケット１２ａ（２８ａ）、１８ａ（３２ａ）、２２ａ（２４ａ）を取り込んだ構造になっている。
【００２５】
すなわち、図３（Ａ）に示すように、直方形状のケーブル接続アダプタ本体１４（２６）の一側面には、ソケット１２ａ（２８ａ）用の開口４０と、ソケット１８ａ（３２ａ）用の開口４２が設けられ、これに対向する側面には、図３（Ｂ）に示すように、ソケット２２ａ（２４ａ）用の開口４４が設けられている。そして、これら開口４０、４２、４４にそれぞれソケット１２ａ（２８ａ）、１８ａ（３２ａ）、２２ａ（２４ａ）が固定されている。
【００２６】
なお、ケーブル接続アダプタは、全体として直方体形状であり、外側はプラスチックで形成され、図３（Ｃ）に示すように、下部５０と、上部５２に分割されている。そして、下部５０と上部５２とはねじなどによって分割可能な状態で固定されている。
【００２７】
このケーブル接続アダプタ１４（２６）を使用する場合には、ＬＡＮケーブル１０、２０、３０と、電話ケーブル１６、３４のプラグを対応するソケットに嵌め込むだけでよく、非常に簡単である。なお、ＬＡＮケーブル２０を配管内に挿通する場合には、ケーブル接続アダプタ１４（２６）を取り付ける前にＬＡＮケーブル２０を配管内に通すことが好適である。
【００２８】
以上のように、本実施形態に係るケーブル接続アダプタによれば、必要な区間において、電話ケーブルの信号の伝達にネットワークケーブルを利用することができる。従って、電話工事、ＬＡＮ工事を一緒に行うことができ、工事が容易であるとともに、電話ケーブルの削減ができ、低コスト化および美観を向上することができる。
【００２９】
また、旧式のビルの場合、パイプ径が１６ｍｍ程度が標準であり、ネットワークケーブルと、電話ケーブルの両方を配管内に収容することはできないが、ネットワークケーブルだけであれば、配管内の余裕度を３０％以上にキープして、電話と、ネットワークの配線を行うことができる。
【００３０】
また、新設の場合においても、ネットワークと電話工事が同時にする事が可能で、工事費の効率化が図れる。
【００３１】
本実施形態では、電話は４線式に対応しており、ＰＢＸ機能を備えた多機能電話を使用することができる。また、２線式の電話も使用可能である。電話ケーブル（２線式、４線式）としては、市販ケーブルを使用することができる。他方、ネットワークケーブルについては、ＬＡＮケーブル１０、２０、３０のいずれも市販のケーブル（カテゴリー５）を使用することができ、特別なケーブルを必要とはしない。
【００３２】
次に、本発明の第２の実施形態について、図面に基づいて説明する。
【００３３】
図４は、本発明の第２の実施形態に係るケーブル接続アダプタを利用したシステムの構成を示す図である。なお、本実施形態に係るケーブル接続アダプタは、上記第１の実施形態に係るケーブル接続アダプタと同じ構成要素も含んでいる。以下では、それらについては同じ符号を付すとともに、重複する説明は省略する。
【００３４】
上記第１の実施形態にかかるケーブル接続アダプタは、４線式に対応可能であるが、接続可能な電話ケーブルは１本のみであった。これに対し、本実施形態にかかるケーブル接続アダプタは、２線式の電話ケーブルを２本接続可能とするものである。すなわち、本実施形態では、２本の電話ケーブル６６、７０が、それぞれ電話用のソケットプラグ（ＲＪ−１１）６８、７２を介し、ケーブル接続アダプタ本体６４に接続され、また、もう一方のケーブル接続アダプタ７６にも、ソケットプラグ（ＲＪ−１１）８２、８６を介し、２本の電話ケーブル８４、８８が接続されている。
【００３５】
図５は、ケーブル接続アダプタ本体６４、７６の内部も示した構成図である。なお、ＬＡＮケーブル１０、３０に関する配線、端子、およびそれらの接続等は、上記第１の実施形態と同じである。
【００３６】
電話ケーブル６６の端部には、プラグ６８ｂが接続されており、このプラグ６８ｂがソケット６８ａに接続される。これによって、電話ケーブル６６内の２本のラインがソケット６８ａの２つの端子１、２にそれぞれ接続される。そして、このソケット６８ａの２つの端子１、２は、ソケット２２ａの端子４、５にそれぞれ接続される。ソケット６８ａの端子には、図における上から１、２の番号が振られており、それぞれ、１：ＲＩＮＧ、２：ＴＩＰとなっている。そして、１：ＲＩＮＧをソケット２２ａの４、２：ＴＩＰをソケット２２ａの５に接続している。
【００３７】
また、これと同様に、もう一方の電話ケーブル７０の端部には、プラグ７２ｂが接続されており、このプラグ７２ｂがソケット７２ａに接続される。これによって、電話ケーブル７０内の２本のラインがソケット７２ａの２つの端子１、２にそれぞれ接続される。そして、このソケット７２ａの２つの端子は、ソケット２２ａの端子７、８にそれぞれ接続される。ソケット７２ａの端子にも、図における上から１、２の番号が振られており、それぞれ、１：ＲＩＮＧ、２：ＴＩＰとなっている。そして、１：ＲＩＮＧをソケット２２ａの７、２：ＴＩＰをソケット２２ａの８に接続している。
【００３８】
このようにして、ソケット２２ａにおいては、ＬＡＮケーブル１０において使用していない４つの端子４、５、７、８に２本の２線式の電話ケーブル６６、７０からの合計４つのラインを重畳する。このため、このソケット２２ａにプラグ２２ｂを介し接続されるＬＡＮケーブル２０においては、ＬＡＮケーブル１０からの信号と、各電話ケーブル６６、７０からの信号とが伝送されることになる。
【００３９】
ケーブル接続アダプタ本体７６は、ケーブル接続アダプタ本体６４と全く同一の構成を有している。そして、ケーブル接続アダプタ本体７６では、ソケット２４ａの端子４、５は、ソケット８２ａの端子１、２に接続され、またソケット２４ａの端子７、８は、もう一つのソケット８６ａの端子１、２に接続される。そして、ソケット８２ａの端子１、２は、プラグ８２ｂを介して電話ケーブル８４内の２本のラインに接続され、またソケット８６ａの端子１、２は、プラグ８６ｂを介して電話ケーブル８８内の２本のラインに接続される。
【００４０】
以上のように、本実施形態では、ＬＡＮケーブル１０および２線式の２本の電話ケーブル６６、７０と、ＬＡＮケーブル３０および２線式の２本の電話ケーブル８４、８８とをそれぞれ接続する際に、ＬＡＮケーブル２０によってケーブル接続アダプタ６４、７６間の接続が行える。そこで、電話ケーブル用の配管（例えば、直径１６ｍｍφ）にも、ＬＡＮケーブル２０を挿通することができ、これによってネットワーク配線と２線式の２本の電話配線の両方を行うことができる。
【００４１】
なお、各ケーブル接続アダプタは、上記第１の実施形態と同様に、ケーブル接続アダプタ本体６４（７６）内にソケット１２ａ（２８ａ）、６８ａ（８２ａ）、７２ａ（８６ａ）、２２ａ（２４ａ）を取り込んだ構造とすればよい。例えば、ケーブル接続アダプタ本体６４（７６）内の一側面にソケット１２ａ（２８ａ）用の開口を配し、かつそれに対向する側面にソケット６８ａ（８２ａ）、７２ａ（８６ａ）、２２ａ（２４ａ）用の開口を並べて配置する構成とすることができる。
【００４２】
次に、本発明の第３の実施形態について、図面に基づいて説明する。
【００４３】
図６は、本発明の第２の実施形態に係るケーブル接続アダプタ９０、９６を利用したシステムの構成を示しかつその内部回路も示す図である。なお、本実施形態に係るケーブル接続アダプタは、上記第１および第２の実施形態に係るケーブル接続アダプタと同じ構成要素も含んでいる。以下では、それらについては同じ符号を付すとともに、重複する説明は省略する。
【００４４】
上記第１の実施形態では、４線式の電話ケーブルを１本使用可能であり、また上記第２の実施形態では２線式の電話ケーブルを２本使用可能であった。これに対し、本実施形態にかかるケーブル接続アダプタは、１本の電話ケーブルについてそのうちの４線を使用する状態と、２本の電話ケーブルについて各２線ずつを使用する状態と、を切り替え可能とするものである。本実施形態にかかるケーブル接続アダプタ９０、９６は、それぞれ、配線の接続状態を切り替えるスイッチ９２、９４を備えており、そのスイッチ９２、９４の切り替えにより上記二つの使用状態の切り替えを実現している。
【００４５】
ケーブル接続アダプタ９０の回路構成について具体的に説明すると、４線式の電話ケーブル１６内の４本のライン（電話線）は、それぞれソケット１８ａの端子１〜４に接続されている。そして、ソケット１８ａの端子１、２は、それぞれソケット２２ａの端子４、５に接続され、同端子３、４は、それぞれスイッチ９２の接点ｔ３、ｔ４に接続されている。また、２線式の電話ケーブル７０内の２本のラインはそれぞれソケット７２ａの端子１、２に接続されている。そして、ソケット７２ａの端子１、２は、それぞれスイッチ９２の接点ｔ１、ｔ２に接続されている。また、ソケット２２ａの端子７、８は、それぞれスイッチ９２の接点ｔ７、ｔ８に接続されている。
【００４６】
スイッチ９２は互いに連動する二つの可動子ｓ１３、ｓ２４を備えている。可動子ｓ１３は、接点ｔ７と接点ｔ３、ｔ１のうちいずれか一方とを接続し、また可動子ｓ２４は、接点ｔ８と接点ｔ４、ｔ２のうちいずれか一方とを接続する。そして、可動子ｓ１３が接点ｔ３に接続されるときは可動子ｓ２４は接点ｔ４に接続され、逆に、可動子ｓ１３が接点ｔ１に接続されるときは可動子ｓ２４は接点ｔ２に接続される。
【００４７】
かかる構成により、可動子ｓ１３、ｓ２４の接続位置によって、ソケット１８ａ、７２ａの端子とソケット２２ａの端子との間の配線の接続状態が切り替わる。可動子ｓ１３が接点ｔ３に接続される状態では、ソケット１８ａの端子３、４がそれぞれソケット２２ａの７、８に接続され、結果、ソケット２２ａの端子４、５、７、８には、ソケット１８ａの端子１、２、３、４が接続されることになる。すなわちこの状態では、電話ケーブル１６の４つのラインが、ＬＡＮケーブル２０の４つのラインに接続されることになる。他方、可動子ｓ１３が接点ｔ１に接続される状態では、ソケット７２ａの端子１、２がそれぞれソケット２２ａの７、８に接続され、結果、ソケット２２ａの端子４、５、７、８には、ソケット１８ａの端子１、２とソケット７２ａの端子１、２とが接続されることになる。すなわちこの状態では、電話ケーブル１６、７０内のライン２つずつが、ＬＡＮケーブル２０の４つのラインに接続されることになる。
【００４８】
ケーブル接続アダプタ９６の回路構成は、上述したケーブル接続アダプタ９０の回路構成と全く同じである。すなわち、可動子ｓ１３が接点ｔ１に接続される状態では、ソケット２４ａの端子４、５、７、８には、ソケット３２ａの端子１、２、３、４が接続され、電話ケーブル３４の４つのラインが、ＬＡＮケーブル２０の４つのラインに接続されることになる。他方、可動子ｓ１３が接点ｔ１に接続される状態では、ソケット２４ａの端子４、５、７、８には、ソケット３２ａの端子１、２とソケット８６ａの端子１、２とが接続され、電話ケーブル３４、８８内のライン２つずつが、ＬＡＮケーブル２０の４つのラインに接続されることになる。本実施形態にかかるケーブル接続アダプタは、２線式の電話配線を使用する環境および４線式の電話配線を使用する環境の双方に対応しており、さらにそれらが切り替わる場合にも対応する。
【００４９】
なお、各ケーブル接続アダプタは、上記第２の実施形態と同様に、ケーブル接続アダプタ本体９０（９６）内にソケット１２ａ（２８ａ）、１８ａ（３２ａ）、７２ａ（８６ａ）、２２ａ（２４ａ）を取り込んだ構造とすればよい。また、例えば、ソケットの構成されない側面に、二つの規定された位置の間をスライドして移動するスイッチアームを設け、このスイッチアームを動かすことで上記スイッチ９０、９６の可動子ｓ１３、ｓ２４の接続位置が切り替わるように構成すればよい。
【００５０】
【発明の効果】
以上説明したように、本発明に係るケーブル接続アダプタによれば、必要な区間において、電話ケーブルの信号の伝達にネットワークケーブルを利用することができる。従って、電話工事、ＬＡＮ工事を一緒に行うことができ、工事が用意であるとともに、電話ケーブルの削減ができ、低コスト化および美観を向上することができる。特に、限定された配管内にもネットワークケーブルを収容して電話およびネットワークの配線を行うことができる。
【００５１】
また、本体にコネクタを内蔵することによって、ケーブルの接続は単にケーブルを差し込むだけでよく、作業が非常に容易である。
【図面の簡単な説明】
【図１】第１の実施形態に係るケーブル接続アダプタを含むシステム構成図である。
【図２】第１の実施形態に係るケーブル接続アダプタ内の構成を含めたシステム構成図である。
【図３】ケーブル接続アダプタの形状を示す図である。
【図４】第２の実施形態に係るケーブル接続アダプタを含むシステム構成図である。
【図５】第２の実施形態に係るケーブル接続アダプタ内の構成を含めたシステム構成図である。
【図６】第３の実施形態に係るケーブル接続アダプタ内の構成を含めたシステム構成図である。
【符号の説明】
１０，２０，３０  ＬＡＮケーブル（ネットワークケーブル）、１６，３４，６６，７０，８４，８８  電話ケーブル、１４，２６，６４，７６，９０，９６ケーブル接続アダプタ（本体）、９２，９４  スイッチ。
【図１】
2004178864.tif 000003
【図２】
2004178864.tif 000004
【図３】
2004178864.tif 000005
【図４】
2004178864.tif 000006
【図５】
2004178864.tif 000007
【図６】
2004178864.tif 000008